(57)【要約】【課題】転送先をユーザの好みに応じて設定でき、また所定の場所を離席している場合には自動的にその転送先へ呼接続を転送することのできる接続先変更システムを提供する。【解決手段】着信側電話装置が、転送先となる１つ以上の転送先番号の候補の指定を受け付け、転送先番号の候補のうち転送を行う転送先番号の指定を受け付ける。また転送先番号の候補と転送を行う転送先番号とを、接続先指定サーバへ登録する。そして携帯電話の接続の有無を判定し、携帯電話の接続の有無を接続先指定サーバへ登録する。また接続先指定サーバが、携帯電話が着信側電話装置に接続されていない場合に、転送先番号の候補のうち、登録された前記転送を行う転送先番号へ、呼接続を転送する。【選択図】図１
2007336153.tif 000002
【特許請求の範囲】
【請求項１】
接続先指定サーバと着信側電話装置とを有する接続先変更システムであって、
前記着信側電話装置が、
転送先となる１つ以上の転送先番号の候補の指定を受け付ける候補番号指定受付手段と、
前記転送先番号の候補のうち転送を行う転送先番号の指定を受け付ける転送先指定受付手段と、
前記転送先番号の候補と前記転送を行う転送先番号とを、接続先指定サーバへ登録する指定受付情報登録手段と、
ユーザ端末の接続の有無を判定するユーザ端末接続有無判定手段と、
前記ユーザ端末の接続の有無を前記接続先指定サーバへ登録する接続有無登録手段と、を備え、
前記接続先指定サーバが、
前記ユーザ端末が前記着信側電話装置に接続されていない場合に、前記転送先番号の候補のうち、前記登録された前記転送を行う転送先番号へ、呼接続を転送する呼接続転送手段を備える
ことを特徴とする接続先変更システム。
【請求項２】
前記呼接続は、音声通信の呼接続または映像通信の呼接続であることを特徴とする請求項１に記載の接続先変更システム。
【請求項３】
前記接続先指定サーバの呼接続転送手段は、有線通信を介した前記着信側電話装置への呼接続を、前記登録された前記転送を行う転送先番号へ転送する
ことを特徴とする請求項１または請求項２に記載の接続先変更システム。
【請求項４】
前記接続先指定サーバの呼接続転送手段は、無線通信を介した前記着信側電話装置への呼接続を、前記登録された前記転送を行う転送先番号へ転送する
ことを特徴とする請求項１または請求項２に記載の接続先変更システム。
【請求項５】
接続先指定サーバは、
前記着信側電話装置の電源断または機能停止を検出する機能停止検出手段を更に備え、
前記呼接続転送手段は、前記着信側電話装置が電源断または機能停止である場合には、前記登録された前記転送を行う転送先番号へ呼接続を転送する
ことを特徴とする請求項１から請求項４の何れかに記載の接続先変更システム。
【請求項６】
前記着信側電話装置のユーザ端末接続有無判定手段は、前記ユーザ端末の自装置への接続の有無、または前記ユーザ端末の自装置に接続されている付属機器への接続の有無を判定する
ことを特徴とする請求項１から請求項５の何れかに記載の接続先変更システム。
【請求項７】
接続先指定サーバと着信側電話装置とを有する接続先変更システムにおける接続先変更方法であって、
前記着信側電話装置の候補番号指定受付手段が、転送先となる１つ以上の転送先番号の候補の指定を受け付け、
前記着信側電話装置の転送先指定受付手段が、前記転送先番号の候補のうち転送を行う転送先番号の指定を受け付け、
前記着信側電話装置の指定受付情報登録手段が、前記転送先番号の候補と前記転送を行う転送先番号とを、接続先指定サーバへ登録し、
前記着信側電話装置のユーザ端末接続有無判定手段が、ユーザ端末の接続の有無を判定し、
前記着信側電話装置の接続有無登録手段が、前記ユーザ端末の接続の有無を前記接続先指定サーバへ登録し、
前記接続先指定サーバの呼接続転送手段が、前記ユーザ端末が前記着信側電話装置に接続されていない場合に、前記転送先番号の候補のうち、前記登録された前記転送を行う転送先番号へ、呼接続を転送する
ことを特徴とする接続先変更方法。
【発明の詳細な説明】
【技術分野】
【０００１】
本発明は、発信元電話装置からの呼接続を、発信元電話装置が指定した呼接続先の電話番号から転送先電話番号へ転送する接続先変更システム及び接続先変更方法に関する。
【背景技術】
【０００２】
従来、固定電話に対して呼接続された通信を転送し、携帯電話などへ転送する仕組みが公開されている。また、近年、仕事等の都合により、複数の携帯電話のうちの何れかの携帯電話や、移動先の固定電話に対して、電話の転送を要望するユーザが増加しつつある。そして、このような技術について特許文献１、特許文献２が公開されている。
【特許文献１】特開平８−２３７３７６号公報
【特許文献２】特開２００４−３２３５６号公報
【発明の開示】
【発明が解決しようとする課題】
【０００３】
ここで、勤務状況や生活環境などによって、複数の携帯電話を同時に携帯したり、複数所有している携帯電話のうちいずれかの携帯電話を選択して携帯することが多くなっている。このように、携帯電話を複数所持するユーザにとっては、状況に応じて転送先となる携帯電話を選択できることが望ましい。
【０００４】
そこでこの発明は、転送先をユーザの好みに応じて設定でき、また所定の場所を離席している場合には自動的にその転送先へ呼接続を転送することのできる接続先変更システムを提供することを目的としている。
【課題を解決するための手段】
【０００５】
上記目的を達成するために、本発明は、接続先指定サーバと着信側電話装置とを有する接続先変更システムであって、前記着信側電話装置が、転送先となる１つ以上の転送先番号の候補の指定を受け付ける候補番号指定受付手段と、前記転送先番号の候補のうち転送を行う転送先番号の指定を受け付ける転送先指定受付手段と、前記転送先番号の候補と前記転送を行う転送先番号とを、接続先指定サーバへ登録する指定受付情報登録手段と、携帯電話の接続の有無を判定する携帯電話接続有無判定手段と、前記携帯電話の接続の有無を前記接続先指定サーバへ登録する接続有無登録手段と、を備え、前記接続先指定サーバが、前記携帯電話が前記着信側電話装置に接続されていない場合に、前記転送先番号の候補のうち、前記登録された前記転送を行う転送先番号へ、呼接続を転送する呼接続転送手段を備えることを特徴とする接続先変更システムである。
【０００６】
また本発明は、前記呼接続は、音声通信の呼接続または映像通信の呼接続であることを特徴とする。
【０００７】
また本発明は、前記接続先指定サーバの呼接続転送手段は、有線通信を介した前記着信側電話装置への呼接続を、前記登録された前記転送を行う転送先番号へ転送することを特徴とする。
【０００８】
また本発明は、前記接続先指定サーバの呼接続転送手段は、無線通信を介した前記着信側電話装置への呼接続を、前記登録された前記転送を行う転送先番号へ転送することを特徴とする。
【０００９】
また本発明は、接続先指定サーバは、前記着信側電話装置の電源断または機能停止を検出する機能停止検出手段を更に備え、前記呼接続転送手段は、前記着信側電話装置が電源断または機能停止である場合には、前記登録された前記転送を行う転送先番号へ呼接続を転送することを特徴とする。
【００１０】
また本発明は、前記着信側電話装置の携帯電話接続有無判定手段は、前記携帯電話の自装置への接続の有無、または前記携帯電話の自装置に接続されている付属機器への接続の有無を判定することを特徴とする。
【００１１】
また本発明は、接続先指定サーバと着信側電話装置とを有する接続先変更システムにおける接続先変更方法であって、前記着信側電話装置の候補番号指定受付手段が、転送先となる１つ以上の転送先番号の候補の指定を受け付け、前記着信側電話装置の転送先指定受付手段が、前記転送先番号の候補のうち転送を行う転送先番号の指定を受け付け、前記着信側電話装置の指定受付情報登録手段が、前記転送先番号の候補と前記転送を行う転送先番号とを、接続先指定サーバへ登録し、前記着信側電話装置の携帯電話接続有無判定手段が、携帯電話の接続の有無を判定し、前記着信側電話装置の接続有無登録手段が、前記携帯電話の接続の有無を前記接続先指定サーバへ登録し、前記接続先指定サーバの呼接続転送手段が、前記携帯電話が前記着信側電話装置に接続されていない場合に、前記転送先番号の候補のうち、前記登録された前記転送を行う転送先番号へ、呼接続を転送することを特徴とする接続先変更方法である。
【発明の効果】
【００１２】
本発明によれば、ユーザは希望する複数の転送先の電話番号を登録し、また状況に応じて複数の転送先電話番号のうち、どの転送先電話番号への転送を行うかを登録する。そして、携帯電話が所定のＩＰ電話に接続されていない場合、または当該所定のＩＰ電話の電源断、または当該所定のＩＰ電話の電話機能の停止である場合には、指定された転送先電話への自動的な転送が行われる。従って、携帯電話を用い歩いている際や、着信側電話装置がの電話機能停止または電源断の際に、複数の転送先のうち、ユーザ自らが希望する電話への転送を自由に設定することができる。
【発明を実施するための最良の形態】
【００１３】
以下、本発明の一実施形態による接続先変更システムを図面を参照して説明する。図１は同実施形態による接続先変更システムの構成を示すブロック図である。この図において、符号１は呼接続の発信側の固定電話である。また２は呼接続の発信側の携帯電話である。また３は呼接続の着信側のＩＰ電話である。また４は呼接続の着信側の携帯電話（ユーザ端末）である。また５は携帯電話４をＩＰ電話３へ接続するための携帯電話接続装置である。また１０は発信側の固定電話１や携帯電話２からの呼接続を接続先へ転送する接続先指定サーバである。また２０は移動体通信網から固定電話通信網への呼接続の転送、または固定電話通信網から移動体通信網への呼接続を転送する移動体通信網ゲートウェイである。
【００１４】
図２は、接続先サーバ、移動体ゲートウェイ、ＩＰ電話の機能ブロック図である。この図で示すように接続先指定サーバ１０において、符号１１は他の装置やサーバと情報を送受信する通信処理部である。また１２は、携帯電話４のＩＰ電話３（またはＩＰ電話に接続されたターミナルアダプタ）への接続の有無、ＩＰ電話３のＩＰ電話機能の停止、ＩＰ電話３の電源断などの状態に基づいて、ＩＰ電話３のユーザのプレゼンスの有無を判定するプレゼンス判定部である。また１３は、発信側の携帯電話２や固定電話１からの着信側のＩＰ電話３への呼接続の処理または、転送先への転送処理を行う呼接続処理部である。また１４は、プレゼンス判定によるプレゼンスの有無をデータベースの接続先テーブルに登録するプレゼンス登録部である。また１５は、呼出電話番号（着信側のＩＰ電話３の番号）、プレゼンス有無、転送先電話の番号（１つまた複数の携帯電話番号または固定電話番号）、転送先（どの転送先電話番号へ転送するかの情報）、転送時間帯（転送先へ転送する時間帯）を対応付けた接続先テーブルを記憶するデータベースである。なお、接続先指定サーバ１０は具体的には、ＳＩＰ（Session Initiation Protocol）サーバやプレゼンスサーバと呼ばれる各サーバ装置の機能を有している。
【００１５】
また図２の移動体ゲートウェイ２０において、符号２１は他の装置やサーバと情報を送受信する通信処理部である。また２２は、発信側の携帯電話２からのＩＰ電話３（着信側）への呼接続を、固定電話網を介して接続先指定サーバへ転送する処理を行う転送処理部である。また２３は、移動体通信網に接続された携帯電話４への呼接続を処理する呼接続処理部である。
【００１６】
また図２のＩＰ電話３において、符号３１は他の装置、サーバと情報を送受信する通信処理部である。また３２は、ＩＰ電話３の処理、例えば、呼接続の着信または発信などの処理を行うＩＰ電話処理部である。また３３は、ユーザの入力に基づいて、１つ以上の転送先電話番号（携帯電話または固定電話の何れも可）の候補の登録と、それら候補のうちどの転送先電話番号へ転送するかの登録とを接続先指定サーバ１０へ行う転送先登録処理部である。また３４は、携帯電話４の携帯電話接続装置５への接続の有無を判定する接続有無判定部である。
【００１７】
そして接続先変更システムにおいては、着信側の携帯電話４が携帯電話接続装置５に接続されている場合には、接続先指定サーバ１０が、発信側の固定電話１または発信側の携帯電話２からＩＰ電話３宛ての呼接続を当該ＩＰ電話３へ転送し、着信側の携帯電話４が携帯電話接続装置５に接続されていない場合、ＩＰ電話３のＩＰ電話機能が停止している場合、ＩＰ電話３が電源断の状態の場合などには、接続先指定サーバ１０が、発信側の固定電話１または発信側の携帯電話２からＩＰ電話３宛ての呼接続を、予め登録された転送先番号へ転送する。
【００１８】
図３は接続先テーブルの構成を示す図である。
図３に示すような接続先テーブルが接続先指定サーバ１０のデータベース１５で記憶される。この接続先テーブルには、呼出電話番号と、プレゼン有無の情報と、転送先電話番号の候補と、転送先と、転送時間帯とが対応付けて記録されている。なお、呼出電話番号はＩＰ電話３の電話番号であり予め登録されている。そして、ＩＰ電話３からの登録によって、当該ＩＰ電話３の呼出電話番号に対応する、１つ以上の転送先電話番号の候補と、当該候補のうちどの転送先電話番号へ転送を行うのかの情報が登録される。また転送時間帯は、時間帯に応じて転送先とする転送先電話番号を変更するための情報である。
【００１９】
次に接続先変更システムの処理フローについて順を追って説明する。
図４は転送先登録時の処理フローを示す図である。
まず、ＩＰ電話３においてユーザは１つ以上の転送先電話番号の候補と、当該転送先電話番号の候補のうち、どの転送先電話番号に転送するかの登録を行う（ステップＳ１）。このとき「転送しない」という登録も可能である。すると、ＩＰ電話３の転送先登録処理部３３が、ユーザから指定された転送先電話番号の候補と、どの転送先電話番号へ転送するかの情報を接続先指定サーバ１０へ送信する（ステップＳ２）。次に接続先指定サーバ１０は、ＩＰ電話３から受信した転送先電話番号の候補と、それら候補のうち、どの転送先電話番号へ転送するかの情報を、データベース内の接続先テーブルへ書込む（ステップＳ３）。なお、どの転送先電話番号へ転送するかの情報において、「転送しない」という登録がされた場合には、接続先テーブルの転送先は「０」と登録される。
【００２０】
図５はプレゼンス有無の登録時の処理フローを示す図である。
次に、図５を用いてプレゼンス有無の登録時の処理について説明する。
＜プレゼンス無→有の場合＞
ユーザはＩＰ電話３（着信側）の付近へ移動した場合、ＩＰ電話３に接続された携帯電話接続装置５に携帯電話を設置する（ステップＳ１１）。すると携帯電話の設置によって、携帯電話接続装置はＩＰ電話（着信側）へ設置ＯＮの情報を通知する（ステップＳ１２）。ＩＰ電話３（着信側）が設置ＯＮの通知を受けると、プレゼンス有を示す情報を接続先指定サーバ１０へ通知する（ステップＳ１３）。そして接続先指定サーバは、プレゼンス有の情報を受信すると、当該情報を送信したＩＰ電話３（着信側）について接続先テーブルに記録されているプレゼンス有無の情報を無から有の情報へ書き換える（ステップＳ１４）。
【００２１】
＜プレゼンス有→無の場合＞
またユーザは、ＩＰ電話３（着信側）の付近から他へ移動する際に、ＩＰ電話３に接続された携帯電話接続装置５から携帯電話４を取り外す（ステップＳ１５）。そして、携帯電話４が取り外されると、携帯電話接続装置５はＩＰ電話３（着信側）へ設置ＯＦＦの情報を通知する（ステップＳ１６）。ＩＰ電話３（着信側）は設置ＯＦＦの通知を受けると、プレゼンス無を示す情報を接続先指定サーバへ通知する（ステップＳ１７）。そして、接続先指定サーバ１０は、プレゼンス無の情報を受信すると、当該情報を送信したＩＰ電話３（着信側）の呼出電話番号に対応付けて接続先テーブルに記録されているプレゼンス有無の情報を有から無の情報へ書き換える（ステップＳ１８）。なお、携帯電話接続装置５はＩＰ電話３に取り付けられたターミナルアダプタに接続されるようにしても良い。この場合には、ＩＰ電話３（着信側）はターミナルアダプタから設置ＯＮ／ＯＦＦの通知を受ける。また携帯電話４は上記例以外の有線での接続や、無線での接続によってＩＰ電話３（着信側）に接続されるようにしても良い。
【００２２】
また、プレゼンスの有無の情報は、ＩＰ電話３の電話機能が停止しているか、またはＩＰ電話３が電源断の際に、プレゼンス有→無へ接続先指定サーバ１０が自動的に変更するようにしてもよい。この場合、接続先指定サーバ１０のプレゼンス判定部１２は、ＩＰ電話３（着信側）にＰｉｎｇなどにより電源断を確認したり、またＩＰ電話３のＩＰ電話処理部３２と通信することにより、その電源断、または機能停止を判定する。さらに、上記実施の形態において、携帯電話４が携帯電話接続装置５に設置された際に、設置ＯＮの情報を受信したＩＰ電話３は、自動的にＩＰ電話のアプリケーションプログラムを起動するようにしてもよい。この場合、ＩＰ電話のアプリケーションプログラムが起動されることにより、図２で示したような処理部（ＩＰ電話処理部３２や転送先登録処理部３３や接続有無判定部３４）がＩＰ電話３内で構成される。
【００２３】
図６は呼接続の処理フローを示す図である。
まず、発信側の固定電話１または携帯電話２を用いて発信者がＩＰ電話３（着信側）へ発信のための電話番号の入力および発信開始の入力を行う（ステップＳ２１）。すると発信側の固定電話１または携帯電話２は呼接続の処理を行う（ステップＳ２２）。そして発信側の固定電話１または携帯電話２からの呼接続を接続先指定サーバ１０が受信する（ステップＳ２３）。なお発信側の携帯電話２からの呼接続は、移動体通信網ゲートウェイ２０が転送処理部２２において、接続先指定サーバ１０へ転送処理する。
【００２４】
次に接続先指定サーバ１０のプレゼンス判定部１２が呼接続の接続先の呼出電話番号を判定し、当該呼出電話番号に対応するプレゼンス情報を接続先テーブルから読み取る（ステップＳ２４）。そして呼接続処理部１３が、プレゼンス情報が０か１かを判定する（ステップＳ２５）。呼接続処理部１３はプレゼンス情報が１（プレゼンス有）であれば、呼接続の接続先の呼出電話番号に対して、その呼接続を転送する（ステップＳ２６）。また、プレゼンス情報が０であれば、呼接続の接続先の呼出電話番号に対応する転送先電話番号の候補うち、転送先と指定されている転送先電話番号を読み取り、当該転送先電話番号への呼接続の転送処理を行う（ステップＳ２７）。なおこの転送先電話番号が携帯電話４の番号である場合には、呼接続を移動体通信網ゲートウェイ２０へ転送する。移動体通信網ゲートウェイ２０の転送処理部２２は、接続先指定サーバ１０から呼接続が転送された場合には、その接続先となる転送電話番号を判定し、その転送電話番号へ呼接続の処理を行う（ステップＳ２８）。
【００２５】
なお、転送すべき時間帯を示す「転送時間帯」が接続先テーブルに設定され、また接続先指定サーバ１０に計時機能を設けられているとする。このような場合、上述の転送が必要であるか否かを判断する際に、呼接続処理部１３は、計時機能で現在時刻を把握し、その現在時刻と転送時間帯を参照し、現在時刻に該当する時間帯情報に対応づけて設定されたプレゼンスの情報（携帯電話のＩＰ電話への接続の有無）に従って、転送先を選択し、転送するようにしてもよい。つまり、この場合まず、呼接続処理部１３が、現在の時刻を検出し、該現在の時刻を含む「転送時間帯」に対応付けられて接続先テーブルに記録されている転送先を読み取る。そしてその転送先の電話番号へ呼接続を転送する。これにより、時間に応じて携帯電話を換えて携帯するユーザにとって、時間に応じて、一方の携帯電話、あるいは他方の携帯電話に転送してもらうことができ、状況に応じた転送をしてもらうことができる。
【００２６】
ここで、転送先変更システムでは、音声だけでなく映像も扱う通信の呼接続の転送を行うようにしてもよい。つまり転送変更システムでは、呼接続で扱う通信の内容に関わらず、設定された転送先に呼接続を転送する。
そして転送されてきた呼接続で扱う通信の内容が音声のみである場合には、呼接続の着信側の端末は、当該呼接続の制御において、音声のエンコード方式（例えばG.711規格）や、通信に使用する帯域（例えば64Kbps）などの通信相手の端末側の通信設定要求を得る。そして着信側の端末は要求された通信条件が自端末で対応可能なパラメータであるかどうかを確認し、問題のあるパラメータがあれば、相手側の発信側端末へ要望を送り、発信側端末の了解を得る。了解が得られれば、了解を得たパラメータを自端末に適用し、通信を開始する。着信側端末と発信側端末との間でパラメータの了解が得られない場合には、通信開始が中止される。
【００２７】
一方、通信で映像を扱う場合、通信開始時に、音声だけでなく映像も同時に扱って通信を開始する方法や、音声だけで通信を始めた後、通信に映像を付加する方法が考えられる。
また、最初から音声と映像による通信を開始する方法では、着信側端末は、音声通信のためのパラメータの他に、映像通信におけるパラメータ＜映像サイズ（SQCIF、CIF、QCIF、QVGA、VGAなど）、エンコード方式（MPEG2、MPEG4など）、使用する帯域（300Kbps、1Mbps、2Mbpsなど）＞が自端末で対応可能なパラメータであるのかどうかを確認し、問題のあるパラメータがあれば、発信側端末へ自端末の要望を送り、発信側端末の了解を得る。着信側端末は了解を得られれば、了解を得たパラメータを自端末に適用し、通信を開始する。発信側端末との間でパラメータの了解が得られない場合には、着信側端末は通信開始を中止する。または、映像通信パラメータを確認中に、映像通信のパラメータがお互いの端末で一致しない時には、映像の通信をあきらめ、音声のみで通信を開始するようにしてもよい。
【００２８】
また音声のみで通信を開始した後、通信の途中から映像を加えて通信を行う場合、音声の通信中に映像を追加することを要望したユーザが、自身の端末を操作することによって、映像通信を行うための要求を映像通信で用いるパラメータとともに相手側端末へ送信する。映像通信の追加要求を受けた端末は、要求を行った端末の映像通信パラメータを確認し、自端末で対応可能なパラメータであるか否かを確認し、問題のあるパラメータがあれば、要求を行った端末へ自端末で利用できるパラメータを送信し、要求を行った端末の了解を得る。了解が得られれば、了解を得たパラメータを自端末に適用し、映像を新たに付加して通信を開始する。もちろん音声と映像による通信中に、映像通信のみを停止するようにしてもよい。以下、これらの処理フローについて説明する。
【００２９】
図７は音声通信のパラメータ設定を行う際の処理フローを示す図である。
この例では端末Ａと端末Ｂが音声通信を行う場合のパラメータの設定の処理について説明する。まず端末Ａが通信を開始し（ステップＳ３０１）、端末Ｂへ通信の開始を通知する。すると端末Ｂは通信の開始の了解を示す情報を端末Ａへ送信する（ステップＳ３０２）。次に端末Ａは音声通信の要求を端末Ｂへ送信する（ステップＳ３０３）。なおこの時音声通信のためのパラメータを同時に送信する。端末Ｂは音声通信の要求を受信すると（ステップＳ３０４）、受信した音声通信のパラメータをチェックし（ステップＳ３０５）、自端末における音声通信を行うためのパラメータと一致するか否かを判定する。この判定において一致せず、パラメータに問題があれば、自端末において音声通信を行うためのパラメータの値を、問題のある音声通信パラメータを用いて端末Ａへ送信する（ステップＳ３０６）。
【００３０】
次に端末Ａは、端末Ｂより受信した音声通信のパラメータをチェックし（ステップＳ３０７）、自端末における音声通信を行うためのパラメータと一致するか否かを判定する。この判定において一致せず、パラメータ変更に問題があれば、端末Ａは通信開始を中止する（ステップＳ３０８）。またパラメータ変更に問題がなければ、次に、音声通信パラメータの変更受付を示す情報を端末Ｂへ送信する（ステップＳ３０９）。そして、ステップＳ３０５においてパラメータに問題がないと判定した場合や、ステップＳ３０９の処理によって端末Ａから音声通信パラメータの変更受付を示す情報を受信した場合には、端末Ｂは予め保持していた音声通信のパラメータを自端末に設定する（ステップＳ３１０）。そして音声通信準備完了を示す情報を端末Ａへ送信する（ステップＳ３１１）。端末Ａでは音声通信準備完了を示す情報を受信すると、音声を送信する処理を行う（ステップＳ３１２）。また端末Ｂにおいても音声を送信する処理を行う（ステップＳ３１３）。
【００３１】
図８は音声通信と映像通信の両方のパラメータ設定を行う際の処理フローを示す図である。
まず端末Ａが通信を開始し（ステップＳ４０１）、端末Ｂへ通信の開始を通知する。すると端末Ｂは通信の開始の了解を示す情報を端末Ａへ送信する（ステップＳ４０２）。次に端末Ａは音声通信と映像通信の要求を端末Ｂへ送信する（ステップＳ４０３）。なおこの時、音声通信と映像通信のためのパラメータを同時に送信する。端末Ｂは音声通信の要求を受信すると（ステップＳ４０４）、受信した音声通信と映像通信の両方のパラメータをチェックし（ステップＳ４０５）、自端末における音声通信や映像通信を行うためのパラメータと一致するか否かを判定する。この判定において一致せず、パラメータに問題があれば、自端末において音声通信と映像通信を行うためのパラメータの値を、問題のある音声通信と映像通信のパラメータを用いて端末Ａへ送信する（ステップＳ４０６）。
【００３２】
次に端末Ａは、端末Ｂより受信した音声通信と音声通信のパラメータをチェックし（ステップＳ４０７）、自端末における音声通信と映像通信を行うためのパラメータと一致するか否かを判定する。この判定において一致せず、パラメータ変更に問題があれば、端末Ａは通信開始を中止する（ステップＳ４０８）。またパラメータ変更に問題がなければ、次に、音声通信と映像通信のパラメータの変更受付を示す情報を端末Ｂへ送信する（ステップＳ４０９）。そして、ステップＳ４０５においてパラメータに問題がないと判定した場合や、ステップＳ４０９の処理によって端末Ａから音声通信と映像通信のパラメータの変更受付を示す情報を受信した場合には、端末Ｂは自端末で予め保持する音声通信と映像通信のパラメータを自端末に設定する（ステップＳ４１０）。そして端末Ｂは音声と映像の通信準備完了を示す情報を端末Ａへ送信する（ステップＳ４１１）。端末Ａでは音声と映像の通信準備完了を示す情報を受信すると、音声と映像を送信する処理を行う（ステップＳ４１２）。また端末Ｂにおいても音声と映像を送信する処理を行う（ステップＳ４１３）。
【００３３】
図９は音声通信をしている状況下において映像通信を追加する際のパラメータ設定の処理フローを示す図である。
図７の処理フローによって端末Ａと端末Ｂの間で音声通信のパラメータ設定が行われ、音声通信の処理が行われているものとする。このような状況下において、まず端末Ａは映像通信の追加の要求をユーザより受け付けるとする（ステップＳ６０１）。すると端末Ａは映像通信追加の要求を端末Ｂへ送信する（ステップＳ６０２）。なおこの時、端末Ａは映像通信のためのパラメータを同時に送信する。端末Ｂは映像通信の要求を受信すると（ステップＳ６０３）、受信した映像通信のパラメータをチェックし（ステップＳ６０５）、自端末における映像通信を行うためのパラメータと一致するか否かを判定する。この判定において一致せず、パラメータに問題があれば、自端末において映像通信を行うためのパラメータの値を、問題のある映像通信パラメータを用いて端末Ａへ送信する（ステップＳ６０５）。
【００３４】
次に端末Ａは、端末Ｂより受信した映像通信のパラメータをチェックし（ステップＳ６０６）、自端末における映像通信を行うためのパラメータと一致するか否かを判定する。この判定において一致せず、パラメータ変更に問題があれば、端末Ａは映像通信の追加を中止する（ステップＳ６０７）。またパラメータ変更に問題がなければ、次に、映像通信パラメータの変更受付を示す情報を端末Ｂへ送信する（ステップＳ６０８）。そして、ステップＳ６０４においてパラメータに問題がないと判定した場合や、ステップＳ６０８の処理によって端末Ａから映像通信パラメータの変更受付を示す情報を受信した場合には、端末Ｂは予め保持していた映像通信のパラメータを自端末に設定する（ステップＳ６０９）。そして映像通信準備完了を示す情報を端末Ａへ送信する（ステップＳ６１０）。端末Ａでは音声通信準備完了を示す情報を受信すると、映像を送信する処理を行う（ステップＳ６１１）。また端末Ｂにおいても映像を送信する処理を行う（ステップＳ６１２）。
【００３５】
図１０は映像通信を削除する際の処理フローを示す図である。
まず、端末Ａが映像通信削除の要求をユーザなどから受け付ける（ステップＳ７０１）。すると端末Ａは映像通信削除の要求を端末Ｂへ送信する（ステップＳ７０２）。そして端末Ｂは映像通信削除の要求を受信する（ステップＳ７０３）。次に端末Ｂは映像通信削除了承を示す情報を端末Ａへ送信する（ステップＳ７０４）。すると端末Ａが映像送信を中止し（ステップＳ７０５）、また端末Ｂも映像送信を中止する（ステップＳ７０６）。
【００３６】
以上の処理によれば、端末同士で音声通信や映像通信を送受信する際に、どちらか一方の端末において他方の端末から通知されたパラメータを用いて当該音声通信や映像通信を処理できない場合には、自端末のパラメータを用いて通信できるか否かを確認する。これにより円滑な音声通信と映像通信の処理を行うことができる。
【００３７】
なお上述の各装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３８】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３９】
【図１】接続先変更システムの構成を示すブロック図である。
【図２】接続先サーバ、移動体ゲートウェイ、ＩＰ電話の機能ブロック図である。
【図３】接続先テーブルの構成を示す図である。
【図４】転送先登録時の処理フローを示す図である。
【図５】プレゼンス有無の登録時の処理フローを示す図である。
【図６】呼接続の処理フローを示す図である。
【図７】音声通信のパラメータ設定を行う際の処理フローを示す図である。
【図８】音声通信と映像通信の両方のパラメータ設定を行う際の処理フローを示す図である。
【図９】音声通信をしている状況下において映像通信を追加する際のパラメータ設定の処理フローを示す図である。
【図１０】映像通信を削除する際の処理フローを示す図である。
【符号の説明】
【００４０】
１・・・固定電話（発信側）
２・・・携帯電話（発信側）
３・・・ＩＰ電話装置（着信側）
４・・・携帯電話（着信側）
５・・・携帯電話接続装置
１０・・・接続先指定サーバ
２０・・・移動体通信網ゲートウェイ
【図１】
2007336153.tif 000003
【図２】
2007336153.tif 000004
【図３】
2007336153.tif 000005
【図４】
2007336153.tif 000006
【図５】
2007336153.tif 000007
【図６】
2007336153.tif 000008
【図７】
2007336153.tif 000009
【図８】
2007336153.tif 000010
【図９】
2007336153.tif 000011
【図１０】
2007336153.tif 000012